(57)【要約】【課題】  よりユーザの利便性を向上させることが出来る記録装置、及び再生装置を提供する。【解決手段】  コンテンツの記録装置（１１）は、記録するコンテンツを入力し、コンテンツを暗号化するための鍵を生成する。記録装置は、生成した鍵を用いてコンテンツを暗号化し、生成した鍵を第１の記録媒体（１９）に記録し、暗号化したコンテンツのデータを第２の記録媒体（３３）に記録する。さらに、記録装置は、第２の記録媒体に第１の記録媒体に記録した鍵により復号可能なコンテンツが記録されていることを示す情報を含む管理情報を第１の記録媒体に記録する。【選択図】      図１
2011096331.tif 000002
【特許請求の範囲】
【請求項１】
コンテンツを入力する入力手段と、
前記入力手段により入力されるコンテンツを暗号化するための鍵を生成する鍵生成手段と、
前記入力手段により入力されるコンテンツを前記鍵生成手段により生成する鍵を用いて暗号化する暗号化手段と、
前記鍵生成手段により生成した鍵を第１の記録媒体に記録し、前記暗号化手段により暗号化したコンテンツのデータを第２の記録媒体に記録する記録手段と、
前記第２の記録媒体に前記第１の記録媒体に記録した鍵により復号可能なコンテンツが記録されていることを示す情報を含む管理情報を前記第１の記録媒体に記録する管理情報記録手段と、
を具備することを特徴とするコンテンツの記録装置。
【請求項２】
前記記録手段は、前記第１の記録媒体に前記暗号化されたコンテンツのデータの一部を記録し、前記暗号化されたコンテンツのデータの残りの部分を前記第２の記録媒体に記録することを特徴とする請求項１記載の記録装置。
【請求項３】
前記記録手段は、前記第１の記録媒体に前記暗号化されたコンテンツのデータを記録できない場合に、前記鍵生成手段により生成した鍵を第１の記録媒体に記録し、前記暗号化手段により暗号化したコンテンツのデータを第２の記録媒体に記録することを特徴とする請求項１に記載の記録装置。
【請求項４】
前記記録手段は、前記暗号化手段により暗号化したコンテンツのデータを前記第１の記録媒体に記録し、前記第１の記録媒体の空き容量が無くなる場合に前記コンテンツのデータの続きを前記第２の記録媒体に記録することを特徴とする請求項２に記載の記録装置。
【請求項５】
前記暗号化手段は、前記第１の記録媒体に記録するコンテンツのデータを第１の暗号鍵を用いて暗号化し、前記第２の記録媒体に記録するコンテンツのデータを第２の暗号鍵を用いて暗号化し、
前記記録手段は、前記第１の暗号鍵と前記第２の暗号鍵とを前記第１の記録媒体に記録することを特徴とする請求項２に記載の記録装置。
【請求項６】
前記管理情報記録手段は、前記コンテンツの続きのデータを第２の記録媒体に記録する場合、前記第１の記録媒体に記録するコンテンツの続きのデータが前記第２の記録媒体に記録されていることを示す情報と、前記第２の記録媒体に記録されるコンテンツのデータを特定するための情報とを含む管理情報を前記第１の記録媒体に記録することを特徴とする請求項４に記載の記録装置。
【請求項７】
前記記録手段は、前記コンテンツの続きのデータを第２の記録媒体に記録する場合、前記第２の記録媒体に前記第１の記録媒体を特定するための情報を付加することを特徴とする請求項４に記載の記録装置。
【請求項８】
前記記録手段は、前記第２の記録媒体に記録されているコンテンツのデータが前記第１の記録媒体に記録されているコンテンツのデータの続きであるか否かを確認するための情報を記録することを特徴とする請求項４に記載の記録装置。
【請求項９】
前記記録手段は、前記第１の記録媒体の空き容量と記録するコンテンツの容量とに基づいて、前記第１の記録媒体に前記コンテンツを記録することができるか否かを判断し、前記第１の記録媒体に前記コンテンツのデータを記録できないと判断する場合、前記鍵生成手段により生成した鍵を第１の記録媒体に記録し、前記暗号化手段により暗号化したコンテンツのデータを第２の記録媒体に記録することを特徴とすることを特徴とする請求項３に記載の記録装置。
【請求項１０】
前記記録手段は、前記コンテンツのデータを第２の記録媒体に記録する場合、前記第２の記録媒体に前記鍵を記録する前記第１の記録媒体を特定するための情報を付加することを特徴とする請求項２に記載の記録装置。
【請求項１１】
前記第２の記録媒体に記録されている暗号化された前記コンテンツのデータを前記第１の記録媒体にコピーまたは移動することにより、マージング処理を行うマージング手段をさらに具備することを特徴とする請求項２に記載の記録装置。
【請求項１２】
第２の記録媒体から管理情報及びコンテンツを読み出す第１の読み出し手段と、
前記第１の読み出し手段により読み出した前記管理情報に基づいて、前記コンテンツを復号可能な鍵が第１の記録媒体に記録されているか否かを判断する判断手段と、
前記判断手段により、前記第２の記録媒体に記録されているコンテンツを復号可能な鍵が第１の記録媒体に記録されていると判断する場合、前記コンテンツを復号可能な鍵を前記第１の記録媒体から読み出す第２の読み出し手段と、
前記第１の読み出し手段により読み出した前記コンテンツを前記第２の読み出し手段により読み出した前記鍵を用いて復号する復号手段と、
前記復号手段により復号したコンテンツを出力する出力手段と、
を具備することを特徴とするコンテンツの再生装置。
【請求項１３】
前記第１の読み出し手段は、前記第２の記録媒体から前記コンテンツと前記管理情報を読み出し、
前記第２の読み出し手段は、第１の暗号鍵と前記コンテンツと第２の暗号鍵とを前記第２の記憶媒体から読み出し、
前記復号手段は、前記第２の読み出し手段により読み出した前記第１の暗号鍵を用いて前記第２の記録媒体から読み出した前記コンテンツを復号し、前記第２の読み出し手段により読み出した前記第２の暗号鍵を用いて前記第１の記録媒体から読み出した前記コンテンツを復号し、
前記出力手段は、前記第２の記録媒体から読み出した前記コンテンツの出力が完了した後に前記第１の記録媒体から読み出した前記コンテンツを出力する、
ことを特徴とする請求項１２に記載の再生装置。
【請求項１４】
前記第１の読み出し手段は、前記第２の記録媒体に記録されている前記管理情報に基づいて、前記第１の記録媒体に記録されているコンテンツと、前記第２の記録媒体に記録されているコンテンツとを特定し、
前記第２の読み出し手段は、前記第２の記録媒体に記録されている前記管理情報に基づいて、前記第１の暗号鍵と前記第２の暗号鍵とを特定する、
ことを特徴とする請求項１２に記載の再生装置。
【請求項１５】
前記復号手段は、前記第１の記憶媒体に記録されているコンテンツ情報と、前記第２の記憶媒体に記録されているコンテンツ情報とが一致する場合に、前記コンテンツの復号を行なう、
ことを特徴とする請求項１２に記載の再生装置。
【発明の詳細な説明】
【技術分野】
【０００１】
本発明は、例えば、コンテンツを記録媒体に録画する記録装置、及び再生装置に関する。
【背景技術】
【０００２】
映像、または音楽などのコンテンツ（プログラム）を圧縮したデータを、記録媒体に記録する記録装置が一般的に普及している。この記録装置は、記録媒体として、例えば、Ｈａｒｄ  Ｄｉｓｋ  Ｄｒｉｖｅ（ＨＤＤ）などの磁気ディスク、またはＤｉｇｉｔａｌ  Ｖｅｒｓａｔｉｌｅ  Ｄｉｓｋ（ＤＶＤ）などの光ディスクを用いる。また、記録装置は、記録媒体に記録されているコンテンツの再生要求がある場合、記録媒体に記録されているコンテンツを復号し、再生する。
【０００３】
近年、再生されるコンテンツを表示するための表示装置の大画面化に伴い、より高解像度の映像、及び、より高音質の音楽を記録再生することができる装置の需要が高まっている。
【０００４】
また、近年、例えばＳＤカードなどの半導体メモリの大容量化が進められている。この為、記録媒体としてのＳＤカードに高解像度の映像、及び、高音質の音楽を記録する記録装置が実用化されている。さらに、上記した複数種類の記録媒体のいずれかを選択し、選択した記録媒体にコンテンツを記録する記録装置が実用化されている。
【０００５】
例えば、コンテンツの記録中に、記録を行っている記録媒体の容量が不足する場合、記録装置は、別の記録媒体を選択し、コンテンツの続きを継続記録する。しかし、この場合、記録したコンテンツが異なる記録媒体に分散された状態となる。
【０００６】
例えば、特許文献１には、コンテンツが分散されることによる不便を解決するために、コンテンツの記録後にダビングを行うことにより、分散記録されたコンテンツを統合する装置が開示されている。この装置は、コンテンツの記録後に、継続記録したコンテンツを当初ユーザが所望した記録媒体と同種の記録媒体にダビングする。即ち、この装置は、コンテンツのコピーとムーブとを繰り返すことにより、コンテンツの統合を実現する。
【先行技術文献】
【特許文献】
【０００７】
【特許文献１】特開２００５−３２８１４６号公報
【発明の概要】
【発明が解決しようとする課題】
【０００８】
ここで、上記したようなコンテンツには、コピー可能な回数が予め設定されているコンテンツが存在する。このようなコンテンツの記録を行う場合、上記の特許文献１に記載されている装置は、コピーとムーブとを繰り返すことにより、コピー可能な回数を消費するという問題がある。
【０００９】
そこで、本発明の一形態における目的は、上記した問題点を解決するものであり、よりユーザの利便性を向上させることが出来る記録装置、及び再生装置を提供することにある。
【課題を解決するための手段】
【００１０】
本発明の一実施形態としての記録装置は、コンテンツを入力する入力手段と、前記入力手段により入力されるコンテンツを暗号化するための鍵を生成する鍵生成手段と、前記入力手段により入力されるコンテンツを前記鍵生成手段により生成する鍵を用いて暗号化する暗号化手段と、前記鍵生成手段により生成した鍵を第１の記録媒体に記録し、前記暗号化手段により暗号化したコンテンツのデータを第２の記録媒体に記録する記録手段と、前記第２の記録媒体に前記第１の記録媒体に記録した鍵により復号可能なコンテンツが記録されていることを示す情報を含む管理情報を前記第１の記録媒体に記録する管理情報記録手段と、を具備する。
【００１１】
また、本発明の一実施形態としての再生装置は、第２の記録媒体から管理情報及びコンテンツを読み出す第１の読み出し手段と、前記第１の読み出し手段により読み出した前記管理情報に基づいて、前記コンテンツを復号可能な鍵が第１の記録媒体に記録されているか否かを判断する判断手段と、前記判断手段により、前記第２の記録媒体に記録されているコンテンツを復号可能な鍵が第１の記録媒体に記録されていると判断する場合、前記コンテンツを復号可能な鍵を前記第１の記録媒体から読み出す第２の読み出し手段と、前記第１の読み出し手段により読み出した前記コンテンツを前記第２の読み出し手段により読み出した前記鍵を用いて復号する復号手段と、前記復号手段により復号したコンテンツを出力する出力手段と、を具備する。
【発明の効果】
【００１２】
この発明の一形態によれば、よりユーザの利便性を向上させることが出来る記録装置、及び再生装置を提供することができる。
【図面の簡単な説明】
【００１３】
【図１】図１は、本発明の一実施形態に係る放送受信装置の構成例を説明するためのブロック図である。
【図２】図２は、図１に示す放送受信装置の制御部の機能を説明するための説明図である。
【図３】図３は、図１に示すＳＤカードのデータ構造の例について説明する為の説明図である。
【図４】図４は、図１に示すＳＤカードのデータ構造の例について説明する為の説明図である。
【図５】図５は、図１に示すＨＤＤのデータ構造の例について説明する為の説明図である。
【図６】図６は、図４に示すプログラムの管理ファイルの例について説明する為の説明図である。
【図７】図７は、図４に示すプログラム情報の管理ファイルの例について説明する為の説明図である。
【図８】図８は、図１に示すＨＤＤのデータ構造の他の例について説明する為の説明図である。
【発明を実施するための形態】
【００１４】
以下、図を参照しながら、本発明の一実施形態に係る記録装置、及び再生装置ついて詳細に説明する。なお、本実施形態では、記録装置、及び再生装置として放送受信装置を例に挙げて説明する。本実施形態における放送受信装置は、所定の容量の記録媒体、例えばＳＤカードなどの半導体メモリに、映像または音楽などのコンテンツを記録する装置である。放送受信装置は、地上アナログ放送、地上ディジタル放送、衛星ディジタル放送、及び有線放送などの配信業者から供給される番組などのコンテンツを受信し、ユーザにより設定される画質及び音質に基づいてコンテンツを記録する。
【００１５】
なお、上記の映像は、動画、静止画、及び、テキストを主体とする文字放送等を含む。また、記録装置、及び再生装置は、コンテンツの記録及び再生を行う装置であれば如何なるものであっても本発明を適用することができる。また、記録装置、及び再生装置の備える各手段は、ハードウエアで実現するものであってもよいし、ＣＰＵ（またはＭＰＵ）に代表されるマイクロコンピュータ等を用いて、ソフトウエアで実現するものであってもよい。
【００１６】
図１は、本発明の一実施形態に係る放送受信装置１１の構成例を説明するためのブロック図である。  
放送受信装置１１は、入力端子４４、チューナ４５、ＰＳＫ復調器４６、信号処理部４７、入力端子４９、チューナ５０、ＯＦＤＭ復調器５１、アナログチューナ６８、及びアナログ復調器６９を備えている。入力端子４４、チューナ４５、ＰＳＫ復調器４６、信号処理部４７、入力端子４９、チューナ５０、ＯＦＤＭ復調器５１、アナログチューナ６８、及びアナログ復調器６９は、コンテンツが入力される入力手段として機能する。なお、ここでは、入力手段は、１組の入力端子と、チューナと、復調器とにより構成される。
【００１７】
入力端子４４は、アンテナ４３により受信されたディジタル放送信号をチューナ４５に供給する。アンテナ４３は、ＢＳ／ＣＳディジタル放送受信用のアンテナである。アンテナ４３は、衛星デジタルテレビジョン放送信号を受信する。
【００１８】
チューナ４５は、衛星ディジタル放送用のチューナである。チューナ４５は、入力端子４４に入力されるディジタル放送信号のチューニングを行う。チューナ４５は、チューニングしたディジタル放送信号をＰＳＫ（Ｐｈａｓｅ  Ｓｈｉｆｔ  Ｋｅｙｉｎｇ）復調器４６に送信する。
【００１９】
ＰＳＫ復調器４６は、ディジタル放送信号の復調を行う。ＰＳＫ復調器４６は、復調したディジタル放送信号を信号処理部４７に入力する。
【００２０】
入力端子４９は、アンテナ４８により受信されたディジタル放送信号をチューナ５０に供給する。アンテナ４８は、地上ディジタル放送受信用のアンテナである。アンテナ４８は、地上デジタルテレビジョン放送信号を受信する。
【００２１】
チューナ５０は、地上ディジタル放送用のチューナである。チューナ５０は、入力端子４９に入力されるディジタル放送信号のチューニングを行う。チューナ５０は、チューニングしたディジタル放送信号をＯＦＤＭ（Orthogonal Frequency DIVISION MULTIPLEXING）復調器５１に送信する。
【００２２】
ＯＦＤＭ復調器５１は、ディジタル放送信号の復調を行う。ＯＦＤＭ復調器５１は、復調したディジタル放送信号を信号処理部４７に出力する。
【００２３】
なお、アンテナ４８は、地上波アナログ放送信号も受信可能である。アンテナ４８により受信された地上波アナログ放送信号は、図示しない分配器によって分配されて、アナログチューナ６８に供給される。
【００２４】
アナログチューナ６８は、受信したアナログ放送信号のチューニングを行う。アナログチューナ６８は、チューニングしたアナログ放送信号をアナログ復調器６９に送信する。
【００２５】
アナログ復調器６９は、アナログ放送信号の復調を行う。アナログ復調器６９は、復調したアナログ放送信号を信号処理部４７に出力する。
【００２６】
信号処理部４７は、信号処理手段として機能する。信号処理部４７は、ＰＳＫ復調器４６およびＯＦＤＭ復調器５１から受信したディジタル放送信号に、ディジタル信号処理を施す。即ち、信号処理部４７は、ディジタル放送信号をデータ信号、映像信号、及び音声信号に分離する。信号処理部４７は、ＯＳＤ（Ｏｎ  Ｓｃｒｅｅｎ  Ｄｉｓｐｌａｙ）信号生成部５４にデータ信号を供給する。信号処理部４７は、グラフィック処理部５２に映像信号を出力する。信号処理部４７は、音声処理部５３に音声信号を出力する。
【００２７】
また、信号処理部４７は、アナログ復調器６９から受信した放送信号を、所定のフォーマットのディジタルの映像信号及び音声信号に変換する。信号処理部４７は、ディジタルに変換した映像信号をグラフィック処理部５２に出力する。また、信号処理部４７は、ディジタル変換した音声信号を音声処理部５３に出力する。  
また信号処理部４７は、ライン入力端子からの入力信号をディジタル変換する。
【００２８】
また、放送受信装置１１は、グラフィック処理部５２、音声処理部５３、ＯＳＤ信号生成部５４、映像処理部５５、映像表示器１４、およびスピーカ１５を備えている。
【００２９】
ＯＳＤ信号生成部５４は、制御部５６の制御に従って、ＧＵＩ（Ｇｒａｐｈｉｃａｌ  Ｕｓｅｒ  Ｉｎｔｅｒｆａｃｅ）画面などを表示するためのＯＳＤ信号を生成する。
【００３０】
また、ＯＳＤ信号生成部５４は、信号処理部４７から受信したデータ信号を本装置１１に適したフォーマットのＯＳＤ信号に変換する。ＯＳＤ信号生成部５４は、ＯＳＤ信号をグラフィック処理部５２に出力する。
【００３１】
グラフィック処理部５２は、信号処理部４７から受信したディジタルの映像信号のデコード処理を行う。グラフィック処理部５２は、デコードした映像信号とＯＳＤ信号生成部５４から受信したＯＳＤ信号とを重ね合わせて合成する。グラフィック処理部５２は、合成した信号を映像処理部５５に出力する。
【００３２】
また、グラフィック処理部５２は、デコードした映像信号とＯＳＤ信号とのいずれかを、映像処理部５５に選択的に出力することもできる。若しくは、グラフィック処理部５２は、映像信号とＯＳＤ信号とがそれぞれ画面の半分を構成するように組み合わせて出力することもできる。
【００３３】
映像処理部５５は、グラフィック処理部５２から入力された信号を、映像表示器１４で表示可能なフォーマットのアナログ映像信号に変換する。映像処理部５５は、アナログに変換した映像信号を映像表示器１４に出力する。映像表示器１４は、受信した映像信号を表示する。
【００３４】
音声処理部５３は、信号処理部４７から受信した音声信号を、スピーカ１５で再生可能なフォーマットのアナログ音声信号に変換する。音声処理部５３は、アナログに変換した音声信号をスピーカ１５に出力する。スピーカ１５は、受信した音声信号を再生する。
【００３５】
またさらに、放送受信装置１１は、操作部１６、及び受光部１８を備えている。操作部１６、及び受光部１８は、それぞれ操作入力手段として機能する。操作部１６は、ユーザからの操作入力により操作信号を生成する。操作部１６は、生成した操作信号を制御部５６に供給する。
【００３６】
受光部１８は、リモートコントローラ１７からの操作信号を受信する。受光部１８は、リモートコントローラ１７から受信した操作信号を制御部５６に供給する。
【００３７】
リモートコントローラ１７は、電源キー、入力切換キー、衛星ディジタル放送チャンネルのダイレクト選局キー、地上波放送チャンネルのダイレクト選局キー、クイックキー、カーソルキー、決定キー、番組表キー、ページ切換キー、チャンネルアップダウンキー、音量調整キー、およびオフタイマーキー等を備えている。リモートコントローラ１７は、ユーザからの操作入力に基づいて操作信号を生成し、受光部１８に供給する。
【００３８】
またさらに、放送受信装置１１は、制御部５６、ＲＯＭ５７、ＲＡＭ５８、及び不揮発性メモリ５９を備えている。制御部５６は、放送受信装置１１の各部の動作を制御する。制御部５６は、ＣＰＵ等を備えている。制御部５６は、操作部１６、または受光部１８から供給される操作信号に基づいて、種々の処理を行う。
【００３９】
ＲＯＭ５７は、本装置１１のシステム制御プログラム及び各種処理プログラムなどを記憶している。ＲＡＭ５８は、ＣＰＵのワークメモリとして機能する。不揮発性メモリ５９は、本装置１１の動作制御に必要な各種の設定情報及び制御情報等を記憶している。
【００４０】
即ち、制御部５６は、操作部１６、または受光部１８から供給される操作信号に基づいて、ＲＯＭ５７に記憶されているプログラムを起動する。制御部５６は、不揮発性メモリ５９に記憶されている制御情報及び設定情報に基づき、処理を実行し、装置各部の動作を制御する。
【００４１】
またさらに、放送受信装置１１は、ＬＡＮ端子２１、ＬＡＮ端子２２、ＵＳＢ端子２３、カードインターフェース（Ｉ／Ｆ）６０、カードホルダ６１、通信Ｉ／Ｆ６４、通信Ｉ／Ｆ６５、及びＵＳＢ Ｉ／Ｆ６６を備えている。
【００４２】
カードホルダ６１は、カードＩ／Ｆ６０を介して制御部５６に接続されている。カードホルダ６１は、半導体メモリとしてのＳＤカード１９を装着することができる。このＳＤカード１９は、携帯可能な記憶媒体である。制御部５６は、カードホルダ６１に装着されたＳＤカード１９の記憶内容をカードＩ／Ｆ６０を介して読み取る。また、制御部５６は、種々のコンテンツのデータをカードＩ／Ｆ６０を介してＳＤカード１９に書き込むことができる。
【００４３】
制御部５６は、ＳＤカード１９から読み取った映像または音楽などのコンテンツを映像表示器１４、または、スピーカ１５により出力することが出来る。
【００４４】
ＬＡＮ端子２１及びＬＡＮ端子２２は、ＬＡＮケーブルを装着することが出来る。通信Ｉ／Ｆ６４及び通信Ｉ／Ｆ６５は、ＬＡＮ端子２１及びＬＡＮ端子２２に接続されたＬＡＮケーブルによりデータの送受信を行なう事ができる。
【００４５】
ＬＡＮ端子２１及びＬＡＮ端子２２に接続される外部機器は、例えば、ＰＣ（Ｐｅｒｓｏｎａｌ  Ｃｏｍｐｕｔｅｒ）、またはリード及びライトに対応した光ディスクドライブなどがある。制御部５６は、通信Ｉ／Ｆ６４及び通信Ｉ／Ｆ６５を介して接続される外部機器と情報の伝達を行うことができる。
【００４６】
この場合、制御部５６は、ＤＨＣＰ（Dynamic Host Configuration Protocol）サーバとして機能する。即ち、制御部５６は、ＬＡＮ端子２１若しくはＬＡＮ端子２２に接続される外部機器にＩＰ（Ｉｎｔｅｒｎｅｔ  Ｐｒｏｔｏｃｏｌ）アドレスを割り当てて制御する。
【００４７】
また例えば、ＬＡＮ端子２１若しくはＬＡＮ端子２２がブロードバンドルータに接続されている場合、制御部５６は、ブロードバンドルータを介してネットワークに接続することができる。
【００４８】
ＵＳＢ（Ｕｎｉｖｅｒｓａｌ  Ｓｅｒｉａｌ  Ｂｕｓ）端子２３は、ＵＳＢ Ｉ／Ｆ６６を介して制御部５６に接続されている。ＵＳＢ端子２３は、一般的なＵＳＢ対応ポートである。即ち、制御部５６は、ＵＳＢ端子２３接続された携帯電話、デジタルカメラ、及びＨＤＤ等とデータ通信を行なう事ができる。図１に示す例では、ＨＤＤ３１がＵＳＢ端子２３に接続されている。
【００４９】
なお、ＬＡＮ端子２１及びＬＡＮ端子２２にＨＤＤ３１が接続される構成であってもよい。ＬＡＮを介して接続される場合、ＨＤＤ３１は、イーサネット（登録商標）、またはＮＡＳ（Ｎｅｔｗｏｒｋ  Ａｔｔａｃｈｅｄ  Ｓｔｏｒａｇｅ）などに対応する構成を備える。この場合、制御部５６は、ＬＡＮ端子２１若しくはＬＡＮ端子２２に接続されるＨＤＤ３１にＩＰ（Ｉｎｔｅｒｎｅｔ  Ｐｒｏｔｏｃｏｌ）アドレスを割り当てて制御する。これにより、制御部５６は、ＬＡＮケーブルを介して接続されるＨＤＤ３１とデータの送受信を行なう事ができる。
【００５０】
さらに、放送受信装置１１は、内蔵型のＨＤＤ３２を備えていても良い。ＨＤＤ３２は、内部のバスなどを介して制御部５６に接続される。制御部５６は、ＨＤＤ３１と同様に、ＨＤＤ３２ともデータ通信を行うことができる。なお、ここでは、ＨＤＤ３１とＨＤＤ３２とを総じてＨＤＤ３３と称する。
【００５１】
制御部５６は、ＨＤＤ３３に画像や音楽、放送番組等のコンテンツのデータを格納することができる。また、制御部５６は、ＨＤＤ３３に格納された画像や音楽、放送番組等のデータを読み出し、映像表示器１４及びスピーカ１５に出力することができる。また、制御部５６は、ＨＤＤ３３に対して情報を記録することができる。
【００５２】
即ち、制御部５６は、ＳＤカード１９、またはＨＤＤ３３にコンテンツを記録することが出来る。即ち、制御部５６は、コンテンツを記録する録画先の記録媒体を選択し、選択した記録媒体にコンテンツを記録する。
【００５３】
図２は、図１に示す制御部５６が備える機能を説明する為のブロック図である。  
図２に示すように、制御部５６は、録画制御部５６１、管理情報生成部５６２、再生制御部５６３、及びコピー制御部５６４を備える。
【００５４】
録画制御部５６１は、コンテンツを記録媒体に記録する動作を統合的に制御する。録画制御部５６１は、鍵生成手段、暗号化手段、及び記録手段として機能する。管理情報生成部５６２は、記録するコンテンツを管理するための管理情報を生成する。管理情報生成部５６２は、管理情報記録手段として機能する。再生制御部５６３は、記録媒体に記録されているコンテンツを、管理情報生成部５６２により生成される管理情報に基づいて再生する。コピー制御部５６４は、記録媒体内におけるコンテンツのコピーを制御する。
【００５５】
例えば、ＳＤカード１９、またはＨＤＤ３３のいずれかの記録媒体にコンテンツのＭｅｄｉａ  Ｏｂｊｅｃｔ（ＭＯ）を記録する場合、録画制御部５６１は、コンテンツに付加される付加情報に基づいて、暗号化すべきか否かを判断する。暗号化を行う場合、録画制御部５６１は、例えば乱数によりタイトル鍵（Ｔｉｔｌｅ  Ｋｅｙ）を生成する。また、録画制御部５６１は、コンテンツに付加される付加情報（例えば使用許可情報）に基づいて、使用ルール（Ｕｓａｇｅ  Ｒｕｌｅ）を生成する。
【００５６】
ＭＯは、コンテンツ内の映像または音楽などのデータである。タイトル鍵は、ＭＯを暗号化する為の鍵である。使用ルールは、ＭＯを用いる処理を行う場合における制限事項（例えば、再生制限、コピー可能な回数など）を示す情報である。
【００５７】
録画制御部５６１は、生成したタイトル鍵を用いてＭＯの暗号化を行う。録画制御部５６１は、暗号化したＭＯをＳＤカード１９、またはＨＤＤ３３などの記録媒体に記録する。さらに、録画制御部５６１は、暗号化されたＭＯを記録した記録媒体に、使用ルールとタイトル鍵とを記録する。なお、ＭＯの記録を行う記録媒体は、例えばユーザによる操作入力に基づいて予め選択される。
【００５８】
例えば、録画制御部５６１は、ＳＤカード１９に対して記録を行う場合、暗号化されたＭＯをＳＤカード１９の通常領域（Ｕｓｅｒ  Ａｒｅａ）に記録し、使用ルールとタイトル鍵とをＳＤカード１９の保護領域（Ｐｒｏｔｅｃｔｅｄ  Ａｒｅａ）に記録する。なお、通常領域は、ユーザによる操作によりアクセス可能な領域である。例えば、放送受信装置１１は、ユーザによる操作に基づいて通常領域にアクセスし、通常領域に記録されているファイルのリストを映像表示器１４に表示することができる。また、保護領域は、ユーザによる操作ではアクセスすることができない領域である。
【００５９】
また、録画制御部５６１は、ＨＤＤ３３に対して記録を行う場合、暗号化されたＭＯをＨＤＤ３３に記録し、使用ルールとタイトル鍵とをＨＤＤ３３に保護状態で記録する。なお、保護状態とは、ユーザによる操作により追加、複製、変更、及び削除などが不可能な状態である。
【００６０】
管理情報生成部５６２は、記録媒体に記録されるコンテンツの管理情報を生成する。管理情報生成部５６２は、生成した管理情報を記録媒体に記録する。管理情報は、例えば、記録媒体に記録されているプログラム（コンテンツ）のＭＯの数を示す情報、各ＭＯのファイル識別子、ファイルサイズ、バージョン情報、及びプログラム情報などを含む。管理情報生成部５６２は、記録媒体に記録されるプログラム、及びプログラムのＭＯが変更される毎に記録媒体に記録されている管理情報を更新する。
【００６１】
再生制御部５６３は、記録媒体に記録されているプログラムのＭＯを、タイトル鍵を用いて復号し、映像表示器１４に表示するように各部を制御する。再生制御部５６３は、記録媒体に記録されているあるＭＯの再生指示が入力される場合、暗号化されたＭＯと、管理情報とを記録媒体から読み出し、対応するタイトル鍵と使用ルールとを特定する。再生制御部５６３は、特定したタイトル鍵を用いてＭＯの復号を行い、使用ルールに基づいて復号したＭＯの再生を行う。なお、再生制御部５６３は、読み出し手段及び復号手段として機能する。
【００６２】
また、コピー制御部５６４は、あるＭＯの複製指示が入力される場合、コピー先の記録媒体にＭＯをコピーする。コピーを行う場合、コピー制御部５６４は、コピーする暗号化されたＭＯと、管理情報とを読み出し、対応するタイトル鍵と使用ルールとを特定する。コピー制御部５６４は、特定したタイトル鍵を用いてコピーするＭＯの復号を行う。また、コピー制御部５６４は、別のタイトル鍵を生成し、生成したタイトル鍵を用いて復号したＭＯを暗号化する。コピー制御部５６４は、暗号化したＭＯと生成した鍵とをコピー先の記録媒体に記録する。さらに、コピー制御部５６４は、コピー元のＭＯの使用ルールの更新を行い、コピー先のＭＯの使用ルールを生成してコピー先の記録媒体に記録する。
【００６３】
なお、放送受信装置１１は、ＳＤカード１９にコンテンツを記録する場合、コンテンツをＳＤカード１９に記録する為のＳＤ＿ＨＤＡＶ形式で暗号化する。また、放送受信装置１１は、ＨＤＤ３３にコンテンツを記録する場合、コンテンツをＨＤＤ３３に記録する為のＨＤＤ＿ＨＤＡＶ形式で暗号化する。
【００６４】
上記した処理により、放送受信装置は、コンテンツを保護した状態で記録、及びコピーを行う事ができる。
【００６５】
ここで、例えば、ＳＤカード１９にコンテンツを記録している途中でＳＤカード１９の空き容量がなくなる場合、放送受信装置１１は、例えばＨＤＤ３３などの他の記録媒体を選択し、記録を行う。
【００６６】
図３乃至図５は、図１に示すＳＤカード１９及びＨＤＤ３３に記録されるデータについて説明する為の説明図である。なお、ここでは、プログラム００２（ＰＲＧ００２）のコンテンツの記録中にＳＤカード１９の空き容量が無くなり、続きをＨＤＤ３３に記録する例について説明する。
【００６７】
図３は、図１に示すＳＤカード１９の保護領域（Ｐｒｏｔｅｃｔｅｄ  Ａｒｅａ）に記録されるデータについて説明する為の説明図である。図４は、図１に示すＳＤカード１９の通常領域（Ｕｓｅｒ  Ａｒｅａ）に記録されるデータについて説明する為の説明図である。図５は、図１に示すＨＤＤ３３に記録されるデータについて説明する為の説明図である。
【００６８】
図３に示すように、ＳＤカード１９の保護領域には、ＳＤ＿ＨＤＡＶディレクトリ３０１が構成される。ＳＤ＿ＨＤＡＶディレクトリ３０１には、Title Key and Usage Rule Master Manager File（ＴＫＵＲＭＭＧ）３０２と、１つまたは複数のTitle Key and Usage Rule Manager File（ＴＫＵＲＭＧ）３０３、３０４、３０５…が格納される。
【００６９】
ＳＤ＿ＨＤＡＶディレクトリ３０１は、ＳＤ＿ＨＤＡＶ形式で暗号化されたコンテンツの鍵に関する情報を格納するためのディレクトリである。
【００７０】
ＴＫＵＲＭＭＧ３０２は、ＳＤ＿ＨＤＡＶディレクトリ３０１を管理するための情報を格納するファイルである。
【００７１】
ＴＫＵＲＭＧ３０３は、Title Key and Usage Rule Manager Information（ＴＫＵＲＭＧＩ）と２５０個のTitle Key and Usage Rule Entry（ＴＫＵＲＥ）とを備える。ＴＫＵＲＭＧＩは、２５０個のＴＫＵＲＥの使用状況を保持するための情報である。ＴＫＵＲＥは、１つのタイトル鍵と１つの使用ルールとを保持する。タイトル鍵は、上記したように、コンテンツのＭＯの暗号化及び復号に用いる鍵である。使用ルールは、上記したように、ＭＯを用いる処理を行う場合における制限事項（例えば、再生制限、コピー可能な回数など）を示す情報である。
【００７２】
また、図４に示すように、ＳＤカード１９の通常領域には、ＳＤ＿ＨＤＡＶディレクトリ４０１が構成される。ＳＤ＿ＨＤＡＶディレクトリ４０１には、Ｍａｎａｇｅｒ  Ｉｎｆｏｒｍａｔｉｏｎ  Ｄｉｒｅｃｔｏｒｙ（ＭＧＲ＿ＩＮＦＯ）４０２と、１つまたは複数のＰｒｏｇｒａｍ  Ｄｉｒｅｃｔｏｒｙ（ＰＲＧ００１、ＰＲＧ００２、・・・）４０３、４０４、・・・とが格納される。
【００７３】
ＭＧＲ＿ＩＮＦＯ４０２は、Ｍａｎａｇｅｍｅｎｔ  Ｄａｔａ  Ｆｉｌｅ（ＭＧＲ＿ＤＡＴＡ）４０５とＰｒｏｇｒａｍ  Ｍａｎａｇｅｒ  Ｆｉｌｅ（ＰＲＧ＿ＭＧＲ）４０６とが格納される。ＭＧＲ＿ＤＡＴＡ４０５は、ＳＤ＿ＨＤＡＶディレクトリ４０１を管理するための情報を格納するファイルである。ＭＧＲ＿ＤＡＴＡ４０５は、例えば、記録したフォーマットのバージョン情報、及びメタデータなどを格納する。ＰＲＧ＿ＭＧＲ４０６は、ＳＤ＿ＨＤＡＶディレクトリ４０１内の各プログラムを管理する為の情報を保持する。
【００７４】
図６は、図４に示すＰＲＧ＿ＭＧＲ４０６に含まれる情報について説明する為の説明図である。  
図６に示すように、ＰＲＧ＿ＭＧＲ４０６は、ＤａｔａＴｙｐｅ６０１、ＤａｔａＳｉｚｅ６０２、Ｖｅｒｓｉｏｎ６０３、ＮｕｍＰｒｇ６０４、及びＰＲＧ＿ＡＴＴＲ６０５などの情報を保持する。
【００７５】
ＤａｔａＴｙｐｅ６０１は、ファイル識別子である。ＤａｔａＳｉｚｅ６０２は、ファイルのサイズを示す情報である。Ｖｅｒｓｉｏｎ６０３は、バージョンを示す情報である。ＮｕｍＰｒｇ６０４は、ＳＤ＿ＨＤＡＶディレクトリ４０１内のプログラムの数を示す情報である。ＰＲＧ＿ＡＴＴＲ６０５は、プログラム情報である。
【００７６】
また、図４に示すように、プログラムディレクトリ４０３は、ＰＲＧ００１に関するデータを格納するディレクトリである。プログラムディレクトリ４０３には、Ｐｒｏｇｒａｍ  Ｉｎｆｏｒｍａｔｉｏｎ  Ｆｉｌｅ（ＰＲＧ＿ＩＮＦＯ）４０７、Ｍｅｄｉａ  Ｏｂｊｅｃｔ  Ｄａｔａ  Ｆｉｌｅ（ＭＯ）４０８、Ｍｅｄｉａ  Ｏｂｊｅｃｔ  Ｉｎｆｏｒｍａｔｉｏｎ  Ｆｉｌｅ（ＭＯＩ）４０９が格納される。
【００７７】
ＰＲＧ＿ＩＮＦＯ４０７は、プログラムディレクトリ４０３に格納されているＭＯを管理するための情報である。ＭＯ４０８は、上記したように、例えば、Ｖｉｄｅｏ、Ａｕｄｉｏ  Ｓｔｒｅａｍなどのデータである。ＭＯＩ４０９は、ＭＯ４０８の詳細情報である。なお、１つのプログラムディレクトリに複数のＭＯが含まれる場合がある。この場合、ＭＯ４０８及びＭＯＩ４０９が複数格納される。
【００７８】
プログラムディレクトリ４０４は、ＰＲＧ００２に関するデータを格納するディレクトリである。プログラムディレクトリ４０４に格納されるデータは、プログラムディレクトリ４０３に格納されるデータと同種のデータである。即ち、プログラムディレクトリ４０４には、ＰＲＧ＿ＩＮＦＯ４１０、ＭＯ４１１、及びＭＯＩ４１２が格納される。
【００７９】
図７は、図４に示すＰＲＧ＿ＩＮＦＯ４０７及び４１０に含まれる情報について説明する為の説明図である。  
図７に示すように、ＰＲＧ＿ＩＮＦＯ４０７及び４１０は、ＤａｔａＴｙｐｅ７０１、ＤａｔａＳｉｚｅ７０２、Ｖｅｒｓｉｏｎ７０３、ＭＯ＿ＩＮＦＯ７０４、ＭＯＩＤ７０５、ＴＫＵＲＥＩＮＤＥＸ７０６、ＭｏＤｕｒａｔｉｏｎ７０７、ＭＡＲＫＥＲ７０８、及びＰＲＧ＿ＥＸＴ７０９などの情報を保持する。
【００８０】
ＤａｔａＴｙｐｅ７０１は、ファイル識別子である。ＤａｔａＳｉｚｅ７０２は、ファイルのサイズを示す情報である。Ｖｅｒｓｉｏｎ７０３は、バージョンを示す情報である。
【００８１】
ＭＯ＿ＩＮＦＯ７０４は、プログラムディレクトリに格納されているＭＯの情報として、ＭＯＩＤ７０５、ＴＫＵＲＥＩＮＤＥＸ７０６、及びＭｏＤｕｒａｔｉｏｎ７０７を保持する。ＭＯＩＤ７０５は、ＭＯのＩＤを示す情報である。ＴＫＵＲＥＩＮＤＥＸ７０６は、ＭＯに対応するＴＫＵＲＥのインデックスを示す情報である。ＭｏＤｕｒａｔｉｏｎ７０７は、ＭＯの再生時間を示す情報である。なお、プログラムが複数のＭＯを含む場合、各ＭＯに対応するようにＭＯ＿ＩＮＦＯ７０４が複数作成される。
【００８２】
ＭＡＲＫＥＲ７０８は、マーカー、即ち再生開始位置を示す情報である。ＰＲＧ＿ＥＸＴ７０９は、プログラムの属性情報である。
【００８３】
また、上記したように、プログラム００２（ＰＲＧ００２）のコンテンツの記録中にＳＤカード１９の空き容量が無くなる場合、ＨＤＤ３３に続きが録画される。この為、図５に示すように、ＨＤＤ３３にＳＤ＿ＨＤＡＶディレクトリ５０１が構成される。
【００８４】
ＳＤ＿ＨＤＡＶディレクトリ５０１には、プログラムディレクトリ５０２が構成される。プログラムディレクトリ５０２は、ＰＲＧ００２に関するデータを格納するディレクトリである。プログラムディレクトリ５０２に格納されるデータは、ＭＯ５０３、ＭＯＩ５０４、及びＭａｎａｇｅｒ  Ｉｎｆｏｒｍａｔｉｏｎ  Ｌｉｓｔ（ＭＯ＿ＩＮＦＯ  Ｌｉｓｔ）５０５が格納される。
【００８５】
ＭＯ５０３は、ＳＤカード１９に格納されているＰＲＧ００２のＭＯ４１１の続きのデータである。ＭＯＩ５０４は、ＭＯ５０３の詳細情報である。ＭＯ＿ＩＮＦＯ  Ｌｉｓｔ５０５は、プログラムディレクトリ５０２以下に格納されているＭＯの情報の管理ファイルである。即ち、ＭＯ＿ＩＮＦＯ  Ｌｉｓｔ５０５には、プログラムディレクトリ５０２に存在するＭＯのＩＤ、ＭＯに対応するＴＫＵＲＥのインデックスを示す情報、及び再生時間などの情報のリストが含まれている。
【００８６】
異なる記録媒体にコンテンツの記録を行う場合の放送受信装置１１の動作について説明する。なお、プログラム００２（ＰＲＧ００２）のＭＯ＃１までがＳＤカード１９に記録可能であり、ＭＯ＃１の続きのＭＯ＃２をＨＤＤ３３に記録すると仮定する。
【００８７】
録画制御部５６１は、まずＳＤ＿ＨＤＡＶディレクトリ３０１及び４０１を作成する。録画制御部５６１は、タイトル鍵を生成し、ＭＯ＃１を暗号化する。また、録画制御部５６１は、ＭＯ＃１に関する使用ルールを生成し、タイトル鍵と使用ルールとを対応付けてＭＯ＃１に対応するＴＫＵＲＥ＃１を作成する。録画制御部５６１は、ＴＫＵＲＥ＃１をＳＤカード１９の保護領域の例えばＴＫＵＲＭＧ３０３に格納する。
【００８８】
また、録画制御部５６１は、記録するプログラムのディレクトリ（ここではプログラムディレクトリ４０４）をＳＤカード１９のＳＤ＿ＨＤＡＶディレクトリ４０１に作成する。録画制御部５６１は、暗号化したＭＯ＃１をＳＤカード１９の通常領域のプログラムディレクトリ４０４のＭＯ４１１に格納する。さらに、録画制御部５６１は、ＭＯ＃１の詳細情報であるＭＯＩ＃１を作成し、プログラムディレクトリ４０４のＭＯＩ４１２に格納する。
【００８９】
また、録画制御部５６１は、タイトル鍵を生成し、ＭＯ＃２を暗号化する。また、録画制御部５６１は、ＭＯ＃２に関する使用ルールを生成し、ＭＯ＃２に対応付けてタイトル鍵と使用ルールとをＴＫＵＲＥ＃２として格納する。録画制御部５６１は、ＴＫＵＲＥ＃２をＳＤカード１９の保護領域の例えばＴＫＵＲＭＧ３０４に格納する。
【００９０】
録画制御部５６１は、ＳＤ＿ＨＤＡＶディレクトリ５０１及びプログラムディレクトリ５０２をＨＤＤ３３に作成する。この場合、録画制御部５６１は、ＳＤ＿ＨＤＡＶディレクトリ５０１にＳＤカード１９を特定するための情報（例えばＳＤカード１９のメディアＩＤ）を付記する。録画制御部５６１は、暗号化したＭＯ＃２をＨＤＤ３３のプログラムディレクトリ５０２のＭＯ５０３に格納する。
【００９１】
なお、管理情報生成部５６２は、ＭＯ＃１の続きがＨＤＤ３３に記録されていることを示す情報をＰＲＧ＿ＩＮＦＯに付加する。管理情報生成部５６２は、例えば、ＰＲＧ＿ＩＮＦＯ４１０のＰＲＧ＿ＥＸＴ７０９に、ＭＯ＃２が記録されているＨＤＤ３３のＩＤを示す情報、及びＭＯ＃２のＩＤを示す情報を格納する。
【００９２】
さらに、管理情報生成部５６２は、ＭＯ＃２に対応するＴＫＵＲＥ＃２のインデックスを示す情報をＰＲＧ＿ＩＮＦＯ４１０内のＭＯ＿ＩＮＦＯ＃２に追加する。またさらに、管理情報生成部５６２は、ＭＯ＿ＩＮＦＯ＃２の情報をＨＤＤ３３のＭＯ＿ＩＮＦＯ  ＬＩＳＴ５０５にも記録する。
【００９３】
上記したように、録画制御部５６１は、ＳＤカード１９に記録するＭＯ及びＨＤＤ３３に記録するＭＯをＳＤカード１９に応じた暗号方式で暗号化し、ＳＤカード１９及びＨＤＤ３３にそれぞれ記録する。管理情報生成部５６２は、ＳＤカード１９に記録されているＭＯの続きが格納されている記憶媒体を特定するための情報をＳＤカード１９に記録する。また、ＨＤＤ３３にＳＤカード１９のＭｅｄｉａＩＤの情報を付加する。さらに、録画制御部５６１は、ＳＤカード１９に記録したＭＯとＨＤＤ３３に記録したＭＯとに対応するタイトル鍵をＳＤカード１９の保護領域に記録する。
【００９４】
上記のようにプログラムを記録することにより、１つのプログラムを異なる記録媒体に記録し、且つ、それぞれの記録媒体に記録されるＭＯの関連付けを行うことができる。
【００９５】
次に、異なる記録媒体に記録されているコンテンツの再生を行う場合の放送受信装置１１の動作について説明する。ここでは、ＳＤカード１９からプログラム００２を再生すると仮定する。また、プログラム００２のＭＯ＃１までがＳＤカード１９に記録されており、ＭＯ＃１の続きのＭＯ＃２がＨＤＤ３３に記録されていると仮定する。
【００９６】
まず、再生制御部５６３は、操作指示に応じてＳＤカード１９のプログラムディレクトリ４０４から、暗号化されたＭＯ＃１と、ＰＲＧ＿ＩＮＦＯ４１０とを読み出す。再生制御部５６３は、ＰＲＧ＿ＩＮＦＯ４１０のＭＯ＿ＩＮＦＯ７０４を参照し、ＴＫＵＲＥＩＮＤＥＸ７０６を読み出す。再生制御部５６３は、ＳＤカード１９の保護領域にアクセスし、ＴＫＵＲＥＩＮＤＥＸ７０６により特定されるＴＫＵＲＥを読み出す。再生制御部５６３は、読み出したＴＫＵＲＥを用いてＭＯ＃１の復号を行い、復号したＭＯ＃１の再生を行う。
【００９７】
また、再生制御部５６３は、ＰＲＧ＿ＩＮＦＯ４１０のＰＲＧ＿ＥＸＴ７０９にＭＯ＃１の続きがＨＤＤ３３に記録されていることを示す情報が格納されているか否か判断する。この場合、再生制御部５６３は、判断手段として機能する。ＰＲＧ＿ＩＮＦＯ４１０のＰＲＧ＿ＥＸＴ７０９にＭＯ＃１の続きがＨＤＤ３３に記録されていることを示す情報が格納されていると判断する場合、再生制御部５６３は、続きのＭＯ＃２が格納されているＨＤＤ３３にアクセスする。
【００９８】
再生制御部５６３は、続きのＭＯを他の記録媒体から読み出す場合、ＭＯ＿ＩＮＦＯの比較を行う。即ち、再生制御部５６３は、ＳＤカード１９のＰＲＧ＿ＩＮＦＯ４１０の中のＭＯ＿ＩＮＦＯ＃２と、ＨＤＤ３３のＭＯ＿ＩＮＦＯ  ＬＩＳＴ５０５の中のＭＯ＿ＩＮＦＯ＃２とが一致する場合、ＭＯ＃２とＭＯ＿ＩＮＦＯ＃２とが対応していると判断する。
【００９９】
再生制御部５６３は、ＨＤＤ３３からＭＯ＃２を読み出し、ＭＯ＿ＩＮＦＯ＃２により特定されるＴＫＵＲＥをＳＤカード１９の保護領域から読み出す。再生制御部５６３は、読み出したＴＫＵＲＥを用いてＭＯ＃２の復号を行い、ＭＯ＃１の再生が完了した後に復号したＭＯ＃２を再生する。再生制御部５６３は、再生を行う場合、復号したＭＯを映像表示器１４、及びスピーカ１５などに出力する。この場合、再生制御部５６３は、出力手段として機能する。
【０１００】
上記したように、再生制御部５６３は、ＳＤカード１９に記録されているＭＯ４１１と、このＭＯに対応するタイトル鍵とを読み出し、ＭＯ４１１を復号し、再生する。また、再生制御部５６３は、ＰＲＧ＿ＩＮＦＯ４１０を確認し、ＭＯ４１１の続きが他の記録媒体に記録されているか否か判断する。他の記録媒体に続きが記録されている場合、再生制御部５６３は、ＰＲＧ＿ＩＮＦＯ４１０を参照して続きが記録されている記録媒体を特定し、特定した記録媒体から続きのＭＯであるＭＯ５０３を読み出す。再生制御部５６３は、ＰＲＧ＿ＩＮＦＯ４１０からＭＯ５０３に対応するタイトル鍵を特定し、ＳＤカード１９からタイトル鍵を読み出し、ＭＯ５０３を復号し、再生する。
【０１０１】
上記のようにプログラムを再生することにより、再生制御部５６３は、異なる記録媒体に記録されている複数のＭＯをシームレスに再生することが出来る。
【０１０２】
なお、上記の実施形態では、プログラムの記録の途中でＳＤカード１９の空き容量が足りなくなる場合に他の記録媒体に続きを記録する構成について説明したが、プログラム毎に他の記録媒体に記録を行う構成であってもよい。
【０１０３】
例えば、ＳＤカード１９にプログラムを記録する操作入力があるとする。この場合、録画制御部５６１は、ＳＤカード１９に記録するプログラムの容量とＳＤカード１９の空き容量とを比較し、ＳＤカード１９の空き容量がＳＤカード１９に記録するプログラムの容量より少ない場合、ＨＤＤ３３を選択してプログラムを記録する。
【０１０４】
なお、ＳＤカード１９にはプログラム００１とプログラム００２とが記録されており、ＳＤ＿ＨＤＡＶディレクトリ３０１及び４０１が作成されているとする。
【０１０５】
録画制御部５６１は、タイトル鍵を生成し、記録するプログラム（プログラム００３）のＭＯ＃１を暗号化する。また、録画制御部５６１は、ＭＯ＃１に関する使用ルールを生成し、ＭＯ＃１に対応付けてタイトル鍵と使用ルールとをＴＫＵＲＥ＃３に格納する。録画制御部５６１は、ＴＫＵＲＥ＃３をＳＤカード１９の保護領域の例えばＴＫＵＲＭＧ３０５に格納する。
【０１０６】
また、録画制御部５６１は、記録するプログラムのディレクトリ（ここではプログラムディレクトリ５０６）をＨＤＤ３３のＳＤ＿ＨＤＡＶディレクトリ５０１に作成する。録画制御部５６１は、暗号化したＭＯ＃１をプログラムディレクトリ５０６のＭＯ５０８に格納する。さらに、録画制御部５６１は、ＭＯ＃１の詳細情報であるＭＯＩ＃１を作成し、プログラムディレクトリ５０６のＭＯＩ５０９に格納する。
【０１０７】
さらに、管理情報生成部５６２は、ＨＤＤ３３にＳＤ＿ＨＤＡＶ形式で記録したプログラムが存在することを示す情報をＳＤカード１９のＭＧＲ＿ＩＮＦＯ４０２のＰＲＧ＿ＭＧＲ４０６のＰＲＧ＿ＡＴＴＲ６０５に記載する。即ち、管理情報生成部５６２は、ＨＤＤ３３に記録するプログラム００３に対応するＰＲＧ＿ＡＴＴＲ＃３を作成し、ＰＲＧ＿ＡＴＴＲ６０５に記録する。
【０１０８】
また、管理情報生成部５６２は、ＨＤＤ３３に記録したプログラムの管理情報であるＰＲＧ＿ＩＮＦＯを作成する。管理情報生成部５６２は、作成したＰＲＧ＿ＩＮＦＯをＨＤＤ３３のプログラムディレクトリ５０６のＰＲＧ＿ＩＮＦＯ５０７に格納する。
【０１０９】
また、管理情報生成部５６２は、プログラム００３のＭＯ＃１に対応するＴＫＵＲＥ＃３のインデックスを示す情報をＨＤＤ３３のＭＯ＿ＩＮＦＯ＿ＬＩＳＴ５１０、またはＰＲＧ＿ＩＮＦＯ５０７に格納する。
【０１１０】
上記したように、録画制御部５６１は、プログラムをＳＤカード１９に記録する操作入力がある場合、当該プログラムを記録可能か否か判断する。記録が不可能である場合、録画制御部５６１は、プログラムのＭＯをＳＤカード１９に応じた暗号方式で暗号化し、ＨＤＤ３３に記録する。管理情報生成部５６２は、ＨＤＤ３３にＳＤ＿ＨＤＡＶ形式で暗号化されたプログラムが記録されていることを示す情報をＳＤカード１９にプログラム管理情報として記録する。
【０１１１】
また、上記したようにプログラム毎に他の記録媒体に記録したプログラムの再生を行う場合、再生制御部５６３は、ＳＤカード１９に記録されているＰＲＧ＿ＭＧＲ４０６を読み出し、ＨＤＤ３３に記録されているプログラムを認識する。
【０１１２】
再生制御部５６３は、ＰＲＧ＿ＭＧＲ４０６の情報に基づいて、ＨＤＤのプログラムディレクトリ５０６に記録されているＰＲＧ＿ＩＮＦＯ５０７、及びＭＯ５０８を読み出す。再生制御部５６３は、ＰＲＧ＿ＩＮＦＯ５０７の記載内容に基づいてＭＯ５０８に対応するＴＫＵＲＥを特定する。再生制御部５６３は、特定したＴＫＵＲＥをＳＤカード１９の保護領域から読み出す。再生制御部５６３は、読み出したＴＫＵＲＥを用いてＭＯ５０８を復号し、再生する。
【０１１３】
上記のようにプログラムを記録することにより、例えば、コピー制御部５６４によりＨＤＤ３３に記録したプログラムをＳＤカード１９にコピーする場合の処理がより効率的になる。即ち、コピー制御部５６４は、ＨＤＤ３３に格納されているプログラムディレクトリ５０６以下をＳＤカード１９の通常領域のＳＤ＿ＨＤＡＶディレクトリ４０１にコピーすることにより、プログラムのコピーを行うことができる。
【０１１４】
この場合、コピー制御部５６４は、ＨＤＤ３３に記録されている暗号化されたコンテンツのＭＯをＳＤカード１９にコピーまたは移動することにより、マージング処理を行うことが出来る。即ち、コピー制御部５６４は、マージング手段として機能する。
【０１１５】
通常、ＨＤＤ３３に記録されているコンテンツを復号し、ＳＤカード１９に応じた形式で暗号化し、ＳＤカード１９に保存する必要があった。しかし、上記の例では、録画制御部５６１は、ＳＤカード１９に保存する操作入力が有る場合にＳＤカード１９に応じた形式で暗号化してＨＤＤ３３に記録する。即ち、ＳＤカード１９に応じた形式にプログラムを変換する必要がない。
【０１１６】
例えば、従来の構成によると、記録するプログラムがコピー可能な回数が予め設定されているプログラムである場合、プログラムの復号と暗号化とを行う際にコピー可能回数が消費される。しかし、上記の例のように、プログラムのデータのみをコピーする場合、コピー可能回数が消費されない。これにより、コピー可能回数を有効に活用することが出来る。この結果、よりユーザの利便性を向上させることが出来る記録装置、及び再生装置を提供することができる。
【０１１７】
なお、この発明は、上記実施形態そのままに限定されるものではなく、実施段階ではその要旨を逸脱しない範囲で構成要素を変形して具現化できる。また、上記実施形態に開示されている複数の構成要素の適宜な組み合わせにより、種々の発明を形成できる。例えば、実施形態に示される全構成要素から幾つかの構成要素を削除してもよい。更に、異なる実施形態に亘る構成要素を適宜組み合わせてもよい。
【符号の説明】
【０１１８】
１１…放送受信装置、１４…映像表示器、１５…スピーカ、１６…操作部、１７…リモートコントローラ、１８…受光部、１９…ＳＤカード、２１…ＬＡＮ端子、２２…ＬＡＮ端子、２３…ＵＳＢ端子、３１…ＨＤＤ、３２…ＨＤＤ、３３…ＨＤＤ、４３…アンテナ、４４…入力端子、４５…チューナ、４６…ＰＳＫ復調器、４７…信号処理部、４８…アンテナ、４９…入力端子、５０…チューナ、５１…ＯＦＤＭ復調器、５２…グラフィック処理部、５３…音声処理部、５４…ＯＳＤ信号生成部、５５…映像処理部、５６…制御部、５７…ＲＯＭ、５８…ＲＡＭ、５９…不揮発性メモリ、６１…カードホルダ、６８…アナログチューナ、６９…アナログ復調器、５６１…録画制御部、５６２…管理情報生成部、５６３…再生制御部、５６４…コピー処理部。
【図１】
2011096331.tif 000003
【図２】
2011096331.tif 000004
【図３】
2011096331.tif 000005
【図４】
2011096331.tif 000006
【図５】
2011096331.tif 000007
【図６】
2011096331.tif 000008
【図７】
2011096331.tif 000009
【図８】
2011096331.tif 000010